(57)【要約】【課題】プロテクタの変形を防止しつつ、プロテクタの取付作業や解除作業の効率を向上させる技術を提供する。【解決手段】プロテクタ１において、第１の上面部５１ａの中央壁面部５４側には、上面の開口であるガイド開口５９が中央壁面部５４の位置まで広がって形成されたガイド筒５５が、下方向に延出して形成されている。ガイド筒５５の右側の面は取り除かれており、その取り除かれた領域に、中央壁面部５４の下側の端部から第２の係止片６２が延出して形成されている。この第２の係止片６２と係止する第２の係止受け部２２は、プロテクタ本体１０と蓋体５０が固定されたときに、第２の係止受け部２２の上端が第１の上面部５１ａの高さになっている。【選択図】図３
2010088242.tif 000002
【特許請求の範囲】
【請求項１】
係止手段を備える第１の外装部と、係止受け手段を備える第２の外装部とを備え、前記係止手段と前記係止受け手段の係止により形成されるロック機構により固定され、前記第１及び第２の外装部で形成される内部空間にケーブル又はコネクタを収納可能なプロテクタであって、
前記第１の外装部において、前記係止手段の近傍の領域が開口になっていることを特徴とするプロテクタ。
【請求項２】
前記開口の外縁に前記係止手段が形成されていることを特徴とする請求項１に記載のプロテクタ。
【請求項３】
前記第１の外装部に形成される前記開口を、前記係止手段が形成される領域を除いて、囲うように形成された筒状体を備え、
前記筒状体は、前記係止手段と係止する前記係止受け手段が挿通可能であることを特徴とする請求項１または２に記載のプロテクタ。
【請求項４】
係止手段を備える第１の外装部と、係止受け手段を備える第２の外装部とを備え、前記第１の外装部と前記第２の外装部とが固定されたときに、前記第１の外装部と前記第２の外装部の間に所定の空間を形成するロック機構であって、
前記第１の外装部は、前記係止手段の近傍に所定の大きさの開口を備え、
前記係止手段と前記係止受け手段の係止位置が前記開口の近傍であることを特徴とするロック機構。
【発明の詳細な説明】
【技術分野】
【０００１】
本発明は、プロテクタおよびロック機構に係り、内部に電線やワイヤーハーネス等を収容してそれらを保護するプロテクタ及びそのようなプロテクタに利用可能なロック機構に関する。
【背景技術】
【０００２】
車両等では、ワイヤーハーネス等を保護するために内部にそのワイヤーハーネス等を収容するプロテクタが用いられる。この種のプロテクタとして、プロテクタの変形を防止するために、ケーブルを収容するプロテクタ本体に底面から突出する仕切り部を設け、その仕切り部が蓋体に設けられた孔部と係合する構成がある（例えば、特許文献１参照）。また、プロテクタ本体と蓋体の両方に仕切り部を設け、各仕切り部がプロテクタ本体と蓋体にそれぞれに設けられた孔部に係合する構成もある（例えば、特許文献２参照）。
【０００３】
また、ケーブルを収容する空間に変形防止機能を備えたロック機構が形成されたプロテクタの例を図１及び図２に示す。図１はロックされる前の蓋体１５０とプロテクタ本体１１０とが分離した状態を示したプロテクタ１０１の斜視図であり、図２は蓋体１５０とプロテクタ本体１１０とがロックした状態を示したプロテクタ１０１斜視図である。図示のように、プロテクタ本体１１０の平面部１１１には上方に突出する第１及び第２の係止片１２１，１２２が形成され、右側面には係止受け部１２３が形成されている。また、蓋体１５０には第１及び２の係止受け部１６１，１６２が形成され、また、右側面には係止片１６３が下向きに形成されている。そして図２に示すように、プロテクタ本体１１０の第１及び第２の係止片１２１，１２２がそれぞれ、蓋体１５０の第１及び第２の係止受け部１６１，１６２と係止して第１及び第２のロック機構１４１、１４２を構成し、プロテクタ本体１１０の係止受け部１２３と蓋体１５０の係止片１６３とが係止して第３のロック機構１４３を構成している。一般に、蓋体１５０の外縁の第１及び第３のロック機構１４１、１４３だけでは、蓋体１５０に変形が起こり易く、また、組み付け性が良くないため、蓋体１５０の中央部分にも第２のロック機構１４２が設けられている。
【０００４】
【特許文献１】特平０９−４６８４８号公報
【特許文献２】特平０９−４６８４９号公報
【発明の開示】
【発明が解決しようとする課題】
【０００５】
ところで、図１及び図２に示したプロテクタ１０１では、蓋体１５０の中央部分に設けられた第２のロック機構の係止部分（第２の係止片１２２と第２の係止受け部１６２による係止構造）は、プロテクタ形状に隠れてしまい、蓋体１５０の組み付けの際に、作業者は目視による確認が簡単に行えないため作業性が悪く、改善が求められていた。また、蓋体１５０の組み付け後に取り外す必要が生じたときに、工具が第２のロック機構１４２の係止部分まで届きにくく、ロックの解除が難しいという課題があった。特許文献１や特許文献２に記載の技術では、中央に設けられた仕切り部は蓋体に設けられた孔部と係合するが、その係合では固定はされておらず、そのまま適用するのは難しく別の技術が求められていた。
【０００６】
本発明は、このような状況に鑑みてなされたものであり、上記課題を解決して、プロテクタの変形を防止しつつ、プロテクタの取付作業や解除作業の効率を向上させる技術を提供することを目的とする。
【課題を解決するための手段】
【０００７】
本発明のある態様は、プロテクタに関する。このプロテクタは、係止手段を備える第１の外装部と、係止受け手段を備える第２の外装部とを備え、前記係止手段と前記係止受け手段の係止により形成されるロック機構により固定され、前記第１及び第２の外装部で形成される内部空間にケーブル又はコネクタを収納可能なプロテクタであって、第１の外装部の前記係止手段の近傍の領域が開口になっている。
また、前記開口の外縁に前記係止手段が形成されてもよい。
また、前記第１の外装部に形成される前記開口を、前記係止手段が形成される領域を除いて、囲うように形成された筒状体を備え、前記筒状体は、前記係止手段と係止する前記係止受け手段が挿通可能であってもよい。
本発明の別の態様はロック機構に関する。このロック機構は、係止手段を備える第１の外装部と、係止受け手段を備える第２の外装部とを備え、前記第１の外装部と前記第２の外装部とが固定されたときに、前記第１の外装部と前記第２の外装部の間に所定の空間を形成するロック機構であって、前記第１の外装部は、前記係止手段の近傍に、所定の大きさの開口を備え、前記係止手段と前記係止受け手段の係止位置が前記開口の近傍である。
【発明の効果】
【０００８】
本発明によれば、プロテクタの変形を防止しつつ、プロテクタの取付作業や解除作業の効率を向上させる技術を提供することができる。
【発明を実施するための最良の形態】
【０００９】
以下、発明を実施するための最良の形態（以下、「実施形態」という）を、図面を参照しつつ説明する。
【００１０】
図３は、本実施形態に係るプロテクタ１の斜視図であり、プロテクタ本体１０と蓋体５０とが固定される前の状態を示している。図４は、同様に、プロテクタ１の斜視図であり、プロテクタ本体１０と蓋体５０とが固定された状態を示している。
【００１１】
図４に示すように、プロテクタ本体１０と蓋体５０とは、第１〜第３のロック機構４１〜４３（図示で一点破線）により固定されている。なお、図３及び図４に示されているプロテクタ本体１０は、形状の一部のみを抽出して記載したものである。以下、第１〜第３のロック機構４１〜４３に着目してプロテクタ１の各構成について具体的に説明する。なお、図３及び図４において、便宜的に図示のＸＹＺ座標軸により、Ｘ軸正方向を前面側（または手前側）、Ｙ軸正方向を右側、Ｚ軸正方向を上側として説明する。
【００１２】
図示のように、蓋体５０には、ワイヤーハーネス等が配設可能に内部に空洞が形成されており、その上面部５１は断面視で２段の階段状になっている。本実施形態では、蓋体５０内部の空洞にはワイヤーハーネスのコネクタが配置されることを想定しているが、これに限る趣旨ではない。具体的には、上面部５１は、図示で左側の相対的に低く形成された第１の上面部５１ａと、図示で右側の第１の上面部５１ａより一段高く形成された第２の上面部５１ｂとを備えている。また、第２の上面部５１ｂの右側の側面５３には小さな段差５３ａが形成されている。同様に、第２の上面部５１ｂの左側の側面である中央壁面部５４の下側領域で第１の上面部５１ａとの境界近傍に小さな段差５４ａが形成されている。
【００１３】
そして、左側面部５２の図示で手前側（Ｘ軸正方向側）の端部近傍には、オスロックである第１の係止片６１が下向きに突出して形成されている。より具体的には、左側面部５２の図示で手前側（Ｘ軸正方向側）の端部近傍の下側部分が、略矩形形状で切り取られている。そして左側面部５２の切り取られた外縁部分から、下側に向けて第１の係止片６１が形成されている。
【００１４】
この第１の係止片６１は、左側面部５２と平行な面で形成された係止片本体６１ａと、先端部近傍に外側（図示Ｙ軸負方向）に向けて僅かに突出して形成された係止突部６１ｂとから構成されている。この第１の係止片６１は、後述の第１の係止受け部２１に挿通されて係止する。
【００１５】
また、第１の上面部５１ａの中央壁面部５４側の手前側近傍には、上下面が開口となっておりかつ上側の開口（以下、「ガイド開口５９」という）が中央壁面部５４の位置まで広がって形成された筒状のガイド筒５５が、下方向に延出して形成されている。
【００１６】
ここで、ガイド筒５５の右側の面は取り除かれており、その取り除かれた領域に、中央壁面部５４の下側の端部から第２の係止片６２が延出して形成されている。
【００１７】
第２の係止片６２は、第１の係止片６１と同様に、左側面部５２や中央壁面部５４と平行な面で形成された係止片本体６２ａと、先端部近傍に左側（図示Ｙ軸負方向）に向けて僅かに突出して形成された係止突部６２ｂとから構成されている。この第２の係止片６２は、後述の第２の係止受け部２２と係止する。第２の係止片６２（係止片本体６２ａ）のの長さ（下方向への延出長）は、第１の係止片６１と同じであり、第１の上面部５１ａから係止に必要な長さだけ形成されている。つまり、ガイド開口５９の右側外縁部分で、下向きに所定長だけ形成されている。
【００１８】
また、右側面部５３の手前側（図示Ｘ軸正方向側）の端部には、第３の係止片６３が形成されている。第３の係止片６３は、第１の係止片６１や第２の係止片６２と同様に、右側面部５３と平行な面で形成された係止片本体６３ａと、先端部近傍に外側（図示Ｙ軸正方向）に向けて僅かに突出して形成された係止突部６３ｂとから構成されている。この第３の係止片６３は、後述の第３の係止受け部２３と係止する。
【００１９】
次に、蓋体５０に固定されるプロテクタ本体１０について説明する。
プロテクタ本体１０は、蓋体５０との固定のために、メスロックとして平面部１１に上方に突出して形成された第１の係止受け部２１と第２の係止受け部２２とを備えている。さらに、プロテクタ本体１０の右側の側面部１２には、第３の係止受け部２３が形成されている。第１〜第３の係止受け部２１〜２３には、上方の端部に開口が形成されており、係止するときに蓋体５０の第１〜第３の係止片６１〜６３が挿通され、上端の水平の梁部分に係止突部６１ｂ〜６３ｂが係止する。
【００２０】
また、図３に示すように、第２の係止受け部２２は、第１の係止受け部２１と比較して高い位置まで、より具体的には、プロテクタ本体１０と蓋体５０が固定されたときに、第２の係止受け部２２の上端が第１の上面部５１ａの高さになっている。これによって、蓋体５０の第１の上面部５１ａ近傍に形成された第２の係止片６２と係止できるようになっている。
【００２１】
そして、図４に示すように、プロテクタ本体１０と蓋体５０とが固定されるときに、蓋体５０の第１から第３の係止片６１〜６３が、プロテクタ本体１０の第１〜第３の係止受け部２１〜２３に係止する。
【００２２】
上述の通り、第２の係止片６２は、ガイド開口５９の近傍に形成されている。したがって、作業者は、ガイド開口５９から第２の係止片６２と第２の係止受け部２２の係止部分を目視で確認でき、また作業のために容易にアクセスできる。例えば、第２の係止受け部２２と第２の係止片６２が係止した状態でも、工具で直ぐにその係止を解除できる。
【００２３】
また、中央の第２の係止受け部２２の係止位置を蓋体５０の第１の上面部５１ａ上の近傍まで上げることによって、蓋体５０の形状、より具体的には、ガイド筒５５が、メスロックである第２の係止受け部２２を囲う構造となる。これによって、第２の係止受け部２２の横の柱状の壁が、蓋体５０の組み付け軌道のガイドとなり、蓋体５０のプロテクタ本体１０への組み付け作業がスムーズに行える。
【００２４】
以上、本発明を実施形態を基に説明した。この実施形態は例示であり、それらの各構成要素及びその組合せにいろいろな変形例が可能なこと、またそうした変形例も本発明の範囲にあることは当業者に理解されるところである。例えば、本実施形態では、上面部５１が２段になっていたが、当然に、一面であってもよいし、３段以上であてもよい。また、本実施形態で特徴的な構成は、第２のロック機構４２にあるので、それ以外のロック機構の係止部と係止受け部の形成態様は、逆であってもよく、上記以外の係止態様でもよい。
【図面の簡単な説明】
【００２５】
【図１】従来技術に係る、プロテクタの斜視図であり、プロテクタ本体と蓋体とが分離した状態を示した図である。
【図２】従来技術に係る、プロテクタの斜視図であり、プロテクタ本体と蓋体とが固定された状態を示した図である。
【図３】実施形態に係る、プロテクタの斜視図であり、プロテクタ本体と蓋体とが分離した状態を示した図である。
【図４】実施形態に係る、プロテクタの斜視図である、プロテクタ本体と蓋体とが固定された状態を示した図である。
【符号の説明】
【００２６】
１  プロテクタ
１０  プロテクタ本体
１１  平面部
２１  第１の係止受け部
２２  第２の係止受け部
２３  第３の係止受け部
４１  第１のロック機構
４２  第２のロック機構
４３  第３のロック機構
５０  蓋体
５１  上面部
５５  ガイド筒
５９  ガイド開口
６１  第１の係止片
６２  第２の係止片
６３  第３の係止片
【図１】
2010088242.tif 000003
【図２】
2010088242.tif 000004
【図３】
2010088242.tif 000005
【図４】
2010088242.tif 000006